(57)【要約】【課題】この考案は、係合孔のある鋼材や構造物への取り付け／取り外しを容易に且つ確実に行うことができる吊り具を提供することを課題とする。【解決手段】ピン１の抜き取りが禁止されている場合、レバー部１８を回動させて抜け止め用ストッパ７を付勢力に抗して移動することによりストッパ７の先端部をピン１のフランジ部１０から外すと、ピン１の抜き取りが許容され、この状態でピン１を抜取る。そして、被保持物の係合孔にピン１を通してピン１の先端部を先端保持部３内に押し込むと、ピン１のフランジ部１０が大径部１４ｂ内に収容されたところで、バネ１７の付勢力により抜け止め用ストッパ７がストッパ取付け部４ａから突出してピン１のフランジ部１０に係合し、これによりピン１の抜き取りが禁止される。【選択図】　　　　図１
0003097793.tif 000002
【実用新案登録請求の範囲】
【請求項１】
被保持物に形成された係合孔に通されると共にその基端部にフランジ部を備えるピンと、
前記ピンが差し込まれると共に前記ピンの先端部と基端部とをそれぞれ保持する先端保持部及び基端保持部を有する本体と、
前記基端保持部に配置されると共に前記ピンの外周部に向かって付勢され且つ前記ピンのフランジ部に係合することにより前記ピンの前記本体からの抜き取りを禁止する抜け止め用ストッパと、
前記抜け止め用ストッパに取り付けられ且つ前記抜け止め用ストッパを付勢力に抗して移動することにより前記ピンのフランジ部に対する前記抜け止め用ストッパの係合を解除するレバー部と
を備えることを特徴とする吊り具。
【請求項２】
前記本体は、先端保持部及び基端保持部を連結する連結部を備えると共に前記ピンに対して前記連結部の反対側に吊り下げ用の吊り孔を備えることを特徴とする請求項１に記載の吊り具。
【請求項３】
前記本体の基端保持部に配置され且つ前記ピンの外周部に向かって付勢される脱落防止用ストッパを更に備えると共に、前記ピンの先端部には前記脱落防止用ストッパに嵌合するための環状溝が周に沿って形成されていることを特徴とする請求項１又は２に記載の吊り具。
【考案の詳細な説明】
【０００１】
【考案の属する技術分野】
この考案は、吊り具に係り、特に係合孔が形成された被保持物を吊り下げるための吊り具に関するものである。
【０００２】
【従来の技術】
例えば、特開平５−３３０７８２号公報には、被保持物に特殊な形状の孔を形成すると共にこの孔にボルトを挿入し、さらに吊り下げ用の吊り孔を有するアイナットをボルトの先端に螺合してこれらボルトの頭部とアイナットとの間に被保持物を挟持することにより被保持物を吊り下げることが可能な吊り具が開示されている。
【０００３】
ところが、上述の吊り具では、被保持物に形成された特殊な形状の孔が必要であるため、例えば円形の孔が既に形成されている鋼材や構造物であっても、さらに吊り下げ用に特殊な形状の孔を開けなければならず、使いやすいものではなかった。
【０００４】
これに対し、既存の孔を利用して被保持物を吊り下げることのできる治具として、ナット締め式の吊り具が用いられている。Ｕ字形の吊り具本体に取り付けられているピンを鋼材や構造物に形成されている既存の孔に挿通し、この状態でピンの先端をナット締めしてピンが吊り具本体から抜けないように固定している。このような吊り具を使用することにより、重量のある鋼材や構造物を確実に吊り下げることができる。
【０００５】
【考案が解決しようとする課題】
しかしながら、上述のナット締め式の吊り具では、ナット締め式のために吊り具の取り付け／取り外しの操作に手間と時間がかかり、特に、作業現場においては作業者が革手袋や軍手を装着していることが多いので、吊り具のナット締めが行いづらいという問題点があった。
また、使用している間にピンの先端に形成されたネジ山が損傷することがあり、その場合にはナットの締め付けが完全に行われない虞があった。特に、ナット締めの際にピンの先端が吊り具本体の後方に位置すると、作業者がナットの締め付けを目で確認することが困難であった。
この考案はこのような問題点を解消するためになされたもので、係合孔のある鋼材や構造物への取り付け／取り外しを容易に且つ確実に行うことができる吊り具を提供することを目的とする。
【０００６】
【課題を解決するための手段】
この考案に係る吊り具は、被保持物に形成された係合孔に通されると共にその基端部にフランジ部を備えるピンと、ピンが差し込まれると共にピンの先端部と基端部とをそれぞれ保持する先端保持部及び基端保持部を有する本体と、基端保持部に配置されると共にピンの外周部に向かって付勢され且つピンのフランジ部に係合することによりピンの本体からの抜き取りを禁止する抜け止め用ストッパと、抜け止め用ストッパに取り付けられ且つ抜け止め用ストッパを付勢力に抗して移動することによりピンのフランジ部に対する抜け止め用ストッパの係合を解除するレバー部とを備えるものである。
本体は、先端保持部及び基端保持部を連結する連結部を備えると共にピンに対して連結部の反対側に吊り下げ用の吊り孔を備えることが好ましい。
また、本体の基端保持部に配置され且つピンの外周部に向かって付勢される脱落防止用ストッパを更に備えると共に、ピンの先端部には脱落防止用ストッパに嵌合するための環状溝が周に沿って形成されていることがより好ましい。
【０００７】
【考案の実施の形態】
以下、この考案の実施の形態を添付図面に基づいて説明する。
図１にこの考案の実施の形態に係る吊り具を示す。この吊り具は、鋼材や構造物などの被保持物に形成された係合孔に通されるピン１とこのピン１が差し込まれる本体２とを有している。本体２はピン１の先端部と基端部とをそれぞれ保持する先端保持部３及び基端保持部４を有し、これら先端保持部３と基端保持部４とが連結部５により連結されてほぼＵ字状に形成されている。また、基端保持部４には、脱落防止用ストッパ６及び抜け止め用ストッパ７がそれぞれ取り付けられている。さらに、基端保持部４にはピン１に対して連結部５の反対側に位置するように吊り部８が取り付けられており、吊り部８はそのほぼ中央に吊り孔８ａを有している。
【０００８】
ピン１は、その先端部に環状溝９が周に沿って形成される一方、その基端部に外周面から放射状に突出したフランジ部１０を有している。環状溝９の先端側には円錐状の凸部１１が形成されており、環状溝９の基端側には基端部に向かうほど拡径するようなテーパー部９ａが形成されている。また、フランジ部１０の基端側にはこのピン１を移動するための取っ手１２が取り付けられている。
【０００９】
一方、本体２の先端保持部３及び基端保持部４には、ピン１の先端部及び基端部がそれぞれ差し込まれる先端貫通孔１３及び基端貫通孔１４が形成されている。ここで基端貫通孔１４は、先端貫通孔１３とほぼ同じ大きさの径を有する小径部１４ａと小径部１４ａより大きい径を有して小径部１４ａに連通する大径部１４ｂとからなり、小径部１４ａと大径部１４ｂとの間に段差が形成されている。ピン１をこれら先端貫通孔１３及び基端貫通孔１４に差し込むと、基端貫通孔１４の大径部１４ｂ内にピン１のフランジ部１０が収容されると共に、フランジ部１０が小径部１４ａと大径部１４ｂとの間の段差に係合してピン１が本体１に完全に差し込まれる。
【００１０】
また基端保持部４は基端貫通孔１４の大径部１４ｂ近傍に、外側に張り出したストッパ取付け部４ａを有している。ストッパ取付け部４ａの内部には基端貫通孔１４の軸心に垂直な方向に延長するストッパ用貫通孔１５が形成されており、このストッパ用貫通孔１５の内部にほぼ環状のガイド部材１６が固定されている。また、ガイド部材１６の内部に抜け止め用ストッパ７が摺動自在に設けられると共に、抜け止め用ストッパ７はバネ１７により基端貫通孔１４の軸心に向かって付勢されている。この抜け止め用ストッパ７の先端部は、大径部１４ｂに対向する面の反対側にテーパー面７ａを有している。さらに、抜け止め用ストッパ７の基端にはこのストッパ７をバネの付勢力に抗して移動するためのレバー部１８が回動自在に取り付けられている。ここで、ピン１が本体２に完全に差し込まれてレバー部１８が操作されない状態では、バネ１７の付勢力により抜け止め用ストッパ７の先端部がストッパ取付け部４ａから突出してピン１のフランジ部１０に係合することにより、ピン１の本体２からの抜き取りが禁止されるようになっている。また、レバー部１８は連結部５の切り欠き部分に位置しており、作業者がレバー部１８を操作することができるように構成されている。
【００１１】
図２に示されるように、基端保持部４の側部にはキャップ部材１９が取り付けられており、キャップ部材１９は基端保持部４に対向する面に凹部１９ａを有している。また、基端保持部４にはこのキャップ部材１９の凹部１９ａに連通し且つ基端貫通孔１４の軸心に垂直な方向に延長するストッパ用貫通孔２０が形成されており、このストッパ用貫通孔２０は基端貫通孔１４の小径部１４ａの途中に開口している。また、ストッパ用貫通孔２０の内部に脱落防止用ストッパ６が配置されており、このストッパ６はバネ２１により基端貫通孔１４の軸心に向かって付勢されている。なお、図２ではピン１の図示が省略されている。
【００１２】
次に、この実施の形態に係る吊り具の作用について説明する。吊り具を被保持物に取り付ける際には次のような手順で作業を行う。ここで、図１に示されるように、ピン１が本体２に完全に差し込まれて抜け止め用ストッパ７がピン１のフランジ部１０に係合した状態にあるとき、すなわち、ピン１の本体２からの抜き取りが禁止された状態にあるときには、抜け止め用ストッパ７のレバー部１８を実線矢印で示されるように斜め上方に回動させると、抜け止め用ストッパ７がバネ１７の付勢力に抗して移動してその先端部がストッパ取り付け部４ａ内に収納され、これにより抜け止め用ストッパ７のフランジ部１０に対する係合が解除されてピン１の本体２からの抜き取りが許容された状態になる。この状態でピン１を抜き取る。
【００１３】
このときフランジ部１０が抜け止め用ストッパ７より外側に位置するまでピン１を抜いたところで抜け止め用ストッパ７のレバー部１８から手を離せば、このストッパ７の先端部が再びストッパ取付け部４ａ内から突出してもピン１の外周面に押圧されるだけでピン１に引っ掛かることがなく、ピン１をそのまま引き抜いてピン１の先端部を先端保持部３から外すことができる。
その後、図３に示されるようにピン１の先端部の環状溝９が基端保持部４の小径部１４ａの途中まで来ると、バネ２１の付勢力によりこの環状溝９に基端保持部４の脱落防止用ストッパ６が嵌合して、ピン１がその先端部で基端保持部４に保持された状態になる。
【００１４】
この状態で、被保持物２２に形成された係合孔２３を本体２の先端保持部３の先端貫通孔１３と基端保持部４の貫通孔１４との間に配置し、ピン１の取っ手１２を握ってピン１を基端保持部４から先端保持部３に向かって押し込む。ここでピン１の環状溝９の基端側には基端に向かうほど拡径するテーパー部９ａが形成されているため、ピン１を先端保持部３に向けて押し込むとピン１の環状溝９から脱落防止用ストッパ６が容易に外れ、ピン１の先端部は被保持物２２の係合孔２３を通って先端保持部３の先端貫通孔１３内に差し込まれる。またこのとき、抜け止め用ストッパ７の先端部は大径部１４ｂに対向する面の反対側にテーパー面７ａを有しているため、抜け止め用ストッパ７はピン１のフランジ部１０によりそのテーパー面７ａに沿ってストッパ取付け部４ａの内部へと押されて収納されるため、ストッパ７の先端部にピン１のフランジ部１０が引っ掛かることなくスムーズにピン１を差し込むことができる。
【００１５】
そして、ピン１のフランジ部１０が基端貫通孔１４の大径部１４ｂ内に収容されると、バネ１６の付勢力によりストッパ取付け部４ａから抜け止め用ストッパ７が突出してその先端部がピン１のフランジ部１０に係合し、ピン１の抜き取りが禁止される。このようにしてピン１が本体２に装着され、吊り具に保持された被保持物が本体２の吊り部８に形成された吊り孔８ａを介して吊り下げられる。
【００１６】
以上のように、抜け止め用ストッパ７の先端部をピン１のフランジ部１０に係合させる或いはレバー部１８を操作してその係合を解除するだけで、ピン１の本体２からの抜き取りを禁止または許容の状態にすることができ、ピン１の本体２への取り付け／取り外しを容易に行うことができる。従って、作業現場で作業者が革手袋や軍手を装着していても、係合孔のある被保持物に容易に吊り具を取り付け／取り外しを行うことができる。
【００１７】
また、上述のように本考案の吊り具は、ピン１のフランジ部１０に基端保持部４の抜け止め用ストッパ７が係合してピン１の抜き取りが禁止されると共に、抜け止め用ストッパ７の係合を解除するためのレバー部１８が連結部５内に位置しているため、ピン１の取っ手１２や本体２の外側部に外力が作用しても、誤ってピン１の先端部が本体２の先端保持部３から外れて被保持物が落下してしまうことがなく、安全性の高い吊り具が実現される。
また、例えば、係合孔があるビームなどを吊り下げる場合、ビームの両側に吊り具を取付けると共に各吊り具の吊り孔にワイヤーを取付けてこのワイヤーを１つにまとめて上方に引っ張るが、本考案の吊り具では、吊り下げ用の吊り孔８ａがピン１に対して連結部５の反対側に位置するため、ピン１及び本体２に過大な荷重をかけることなく、被保持物を吊り下げることができる。
【００１８】
さらに、ピン１を引き抜く際には、ピン１の先端部に形成された環状溝９にピン１の回転角度にかかわらず本体２の基端保持部４の脱落防止用ストッパ６が嵌合してピン１の先端部が基端保持部４に保持された状態になるので、ピン１が本体２から脱落してしまうことがなく、より安全性の高い吊り具を実現することができる。
【００１９】
【考案の効果】
以上説明したように、この考案によれば、被保持物に形成された係合孔に通されると共にその基端部にフランジ部を備えるピンと、ピンが差し込まれると共にピンの先端部と基端部とをそれぞれ保持する先端保持部及び基端保持部を有する本体と、基端保持部に配置されると共にピンの外周部に向かって付勢され且つピンのフランジ部に係合することによりピンの本体からの抜き取りを禁止する抜け止め用ストッパと、抜け止め用ストッパに取り付けられ且つ抜け止め用ストッパを付勢力に抗して移動することによりピンのフランジ部に対する抜け止め用ストッパの係合を解除するレバー部とを備えたので、吊り具を係合孔のある被保持物に容易に且つ確実に取り付け／取り外しをすることができるようになった。
【図面の簡単な説明】
【図１】この考案の実施の形態に係る吊り具を示す側面図である。
【図２】実施の形態に係る吊り具の正面図である。
【図３】実施の形態におけるピンを本体から引き抜いた様子を示す側面図である。
【符号の説明】
１　ピン、２　本体、３　先端保持部、４　基端保持部、４ａ　ストッパ取付け部、５　連結部、６　脱落防止用ストッパ、７　抜け止め用ストッパ、７ａ　テーパー面、８　吊り部、８ａ　吊り孔、９　環状溝、９ａ　テーパー部、１０フランジ部、１１　凸部、１２　取っ手、１３　先端貫通孔、１４　基端貫通孔、１５，２０　ストッパ用貫通孔、１６　ガイド部材、１７，２１　バネ、１８　レバー部、１９　キャップ部材、１９ａ　凹部、２２　被保持物、２３　係合孔。
【図１】
0003097793.tif 000003
【図２】
0003097793.tif 000004
【図３】
0003097793.tif 000005